(57)【要約】【課題】ケージの出し入れが簡単で、装置に装着する際、ケージに与えられる振動や騒音が少なく、ケージ内への給水手段の取り付けが容易な飼育装置の提供。【解決手段】ケージの容器に設けられたフランジを利用して装置内に収納するようにすると共に、ケージ上方に位置する給排気ダクトからの給排気フードを伸縮自在とし、ケージ蓋面に突起を設け、ケージを飼育装置の枠体に挿入したとき、前記突起により枠体に設けられた揺動アームを回動させ、該揺動アームの回動を利用して前記給排気フードの開口部をケージ蓋に設けた給排気口に密着させる。【選択図】図１０
2008212098.tif 000002
【特許請求の範囲】
【請求項１】
ケージ上方に位置する給排気ダクトからの給排気フードを伸縮自在とし、ケージ蓋面に突起を設け、ケージを飼育装置の枠体に挿入したとき、前記突起により枠体に設けられた揺動アームを回動させ、該揺動アームの回動を利用して前記給排気フードの開口部をケージ蓋に設けた給排気口に密着させるようにしたことを特徴とする小動物用飼育装置。
【請求項２】
突起がケージ蓋面の両側部に１対設けられていることを特徴とする請求項１記載の小動物用飼育装置。
【請求項３】
突起がケージ蓋面の前後両側部に１対ずつ対称的に設けられていることを特徴とする請求項１記載の小動物用飼育装置。
【請求項４】
ケージに設けられたフランジが、ケージ収納部を区画する隔壁に設けられた凸部に係合し、収納保持されることを特徴とする請求項１ないし３の何れかに記載の小動物用飼育装置。
【発明の詳細な説明】
【技術分野】
【０００１】
本発明は、医療研究などに用いられるマウスなどの小動物を飼育し、或いは実験するための飼育装置に関するものである。
【背景技術】
【０００２】
一般的な飼育ケースは、ケージ入れ替えなどの都度、扉を開閉させなければならず、その都度飼育ケース内外の空気が混ざってしまい、外気の雑菌が飼育ケース内に侵入したり、ケージ内の汚損物が外部に放出されたりする虞があるという問題があった。
【０００３】
このような問題点を解決し、飼育装置内外の空気が混ざる虞がなく、手間がかからず、安価な飼育装置として、マウスなど小動物用のケージを複数収納する筐体を備えた小動物飼育装置において、筐体の後部側に支柱を設け、その支柱の上下方向に間隔を置いて、略Ｕ字状のアームを前後方向スライド自在に設けると共に前方にスライドした着脱位置で上下回動可能に設け、その各Ｕ字状のアームに、ケージのフランジを着脱自在に係合して保持させ、そのアームの後方にスライドした固定位置の上方に、その各ケージ内を換気するための給排気手段を設けたものが提案されている（特許文献１）。
【０００４】
この装置は、ケージ毎に、給気、排気を個別に行うため、外気と各ケージ内及び各ケージ相互間の空気が互いに混入するのを防ぐことができ、ケージの空気取入口と給気水平ダクトの給気口は、外周をフードカバーに覆われてシールされているため、外気がケージ内に侵入することもなく、ケージの空気排出口と排気水平ダクトの排気口も、外周をフードカバーに覆われてシールされているため、ケージ内の汚れた空気が外部に漏れることもなく、各ケージの通気性を個々に保ちつつ、各ケージ相互間及びケージ２内の汚損空気の外部への放出を防止できるといった効果を奏することができた。
【０００５】
しかしながら、上述の飼育装置は、各ケージを筐体内に収納した後、ケージをその上方に設けた給排気手段に接続するため、U字状のアームにケージのフランジを係合させて回動し、ケージを上方に移動させる必要があった。
このように、従来の飼育装置は、ケージの装着に２工程の操作が必要で手間がかかると共に、装脱着時にケージが上下に移動するので、外部からケージ内への給水手段を設けることが困難であり、また、ケージを収納する際、底面を摺動させるため振動や騒音が発生するので、ケージ内の小動物に対するストレスの原因となった。
【特許文献１】特許第３７６９１７４号
【発明の開示】
【発明が解決しようとする課題】
【０００６】
本発明は、従来の小動物飼育装置が有する問題点を解決するものであって、ケージの出し入れが簡単で、装置に装着する際、ケージに与えられる振動や騒音が少なく、ケージ内の換気や、ケージへの給水手段の取り付けが容易な飼育装置を提供することを目的とする。
【課題を解決するための手段】
【０００７】
本発明者らは、ケージ上方に位置する給排気ダクトからの給排気ホースを伸縮自在とすると共に、ケージ蓋面に突起を設け、ケージを飼育装置の枠体に挿入したとき、前記突起により枠体に設けられたアームを回動させ、該アームの回動を利用して前記給排気ホースを伸張させ、その開口部をケージ蓋に設けた給排気口に圧着させるように構成することにより、前記の問題点を解決し本発明に至った。
また、ケージの容器に設けられたフランジを利用して装置内に収納するようにすることにより、ケージの出し入れをスムーズに行なえるようにし、ケージ内の小動物へのストレスの原因となる騒音や振動を少ない小動物飼育装置とした。
【発明の効果】
【０００８】
本発明の飼育装置によれば、装置の枠体の棚にケージを挿入するだけでケージと給排気ダクトが接続されるので、操作が簡単であり、またケージの固定に際して上下方向の移動がないので、ケージへの給水手段の取り付けも簡単である。
また、ケージの容器に設けられたフランジを利用して収納するようにしたので、収納時の摩擦抵抗が小さくなり、ケージに対する振動や騒音が低減し、上下方向の移動がないこととあいまって、ケージ内の小動物に与えるストレスが少なくてすむという効果を奏する。
【発明を実施するための最良の形態】
【０００９】
本発明の飼育装置を図面で説明する。
図１、図２に示すように、飼育装置１は、マウスなどの小動物を飼育するためのケージ２を縦横に整列させて収納する枠体３と、枠体３の側部に設けられた給気風洞管４及び排気風洞管５、該給気風洞管４及び該排気風洞管５と夫々連通した給気水平ダクト１７と排気水平ダクト１８とからなる。
【００１０】
枠体３は、キャスター６、７が設けられた底部１２と、底部の両側に設けられた側部１３，１４と、両側の側部１３，１４上に掛け渡された天井部１５と、複数本の補強柱２９を含む背面部１６とからなり、前面が開放されている。
また枠体３の内部は、給気風洞管４及び排気気風洞管５と連通した給気水平ダクト１７と排気水平ダクト１８が、平行して複数段設置されており、複数のケージ２を収納するための棚空間を形成している。
【００１１】
図１に示されるように、背後の補強柱２９には、給水配管8が取り付けられ、該給水配管8には、各ケージ２の収納部毎に給水ノズル１１が設けられている。給水ノズル１１の先端部には弁が設けられており、ケージが枠体３内の所定位置に収納されたときに、図３に示されるように、ケージに設けられた給水用開口９を通して、ケージ内の小動物が該弁をなめることができるように位置決めされる。これにより小動物が水を摂取することができるものであり、このような小動物用の給水ノズル自体は公知のものが使用できる。
【００１２】
図４に示すように、ケージ２は、上端開口の縁に水平方向に延びるフランジ２０を有する容器１９と、容器の上端開口を着脱自在に塞ぐ蓋２１とからなる。
容器１９は、内部の観察が容易なように透明な材料で形成することが望ましく、また、これらのケージ２は、使用前または使用後に殺菌のためオートクレーブ処理が可能なように、耐熱性の材料とすることが望ましい。
【００１３】
このようなことから、ケージの材質としては、ポリサルホン樹脂が好ましい。
【００１４】
さらに、蓋と容器のフランジとの間に、金網製のえさ保持具１０を挟持させることができる。このえさ保持具１０としては、例えば図７に示されるような針金を溶接して金網状としたものであり、ペレット状のえさを凹部に供給し、ケージ内の小動物がその隙間からえさを摂取できる程度の目開きを有する。なお、図示されていないが、凹部の両側面はえさが落下しないよう、金属板で塞がれている。
【００１５】
図５に示されるように、蓋２１は、フランジ２０と重ね合わされる程度の大きさに形成されており、給気水平ダクト１７と排気水平ダクト１８に接続するための空気取入口２２と空気排出口２３が形成され、蓋２１の上面端部には突起３１が設けられている。
突起３１は、1つでも良いが、ケージ長手方向の1端の両側に、1対設けることが望ましく、図5に示されるように、長手方向の両端に対称形に配置して設けても良い。
【００１６】
空気取入口２２と空気排出口２３にはそれぞれ容器１９内の空気と外気との交わりを制限するためのフィルター２４が着脱自在に設けられている。
【００１７】
図６に示されるように、ケージ２の蓋２１に設けられた空気取入口２２及び空気排出口２３には、フランジ２２ａ（２３ａ）が設けられ、このフランジにフィルター２４が載置される。
空気取入口２２及び空気排出口２３の周壁２２ｂ（２３ｂ）には、開口面に連ねる縦溝とフランジ２２ａ（２３ａ）に沿う横溝からなるＬ字状の係合溝２２ｅ（２３ｅ）が複数箇所形成されており、該係合溝２２ｅ（２３ｅ）と契合する突起２２ｄ（２３ｄ）を有する押さえリング２２ｃ（２３ｃ）を空気取入口２２及び空気排出口２３に挿入し、押さえリングの突起２２ｄ（２３ｄ）を前記Ｌ字状の係合溝２２ｅ（２３ｅ）と係合させることによってフィルター２４を保持することができる。
【００１８】
使用するフィルターとしては、ペーパー、不織布、多孔性セラミック、多孔性金属などいずれも使用可能である。
【００１９】
枠体３の一側に設けられた給気風洞管４と排気気風洞管５は、各々図示しない外部の送風機と接続され、給気水平ダクト１７と排気水平ダクト１８を介して、ケージ内に新鮮な空気を吸気すると共に、ケージ内の空気を排気している。
【００２０】
給気水平ダクト１７と排気水平ダクト１８の下面には、固定位置のケージ２に給排気するための給気口と排気口が形成され、それぞれ伸縮自在なフードカバー２５が嵌合されている。
【００２１】
給気水平ダクト１７は、上下に複数ほぼ等間隔に設けられており、排気水平ダクト１８は、それぞれの給気水平ダクト１７とほぼ並行に延びて設けられている。
【００２２】
給気水平ダクト１７及び排気水平ダクト１８の上下の間隔は、ケージ２の高さより若干高い程度に設定され、それぞれ背面部１６に設けられた複数本の補強柱２９に補強材３０を介してほぼ等間隔に接続されて補強されている。
【００２３】
図１１に示すように、給気水平ダクト１７、排気水平ダクト１８に嵌合されたフードカバー２５は、ケージ方向に伸縮したとき、それぞれケージ２の空気取入口２２と空気排出口２３を取り囲むように位置されている。
【００２４】
フードカバー２５は、ゴムのような弾性体からなり、給気水平ダクト１７の開口、排気水平ダクト１８の開口の周囲から下方へ垂れ下がるように形成されている。フードカバー２５は、上部の伸縮部２６とフード部２７から構成され、その接続部にくびれ部２８が形成されている。フード部２７は、固定位置のケージ２の蓋８に下端を接触させて空気取入口１１又は空気排出口１２の外周を覆うように構成されている。
【００２５】
各フードカバー２５には、ケージ２の蓋８に接触したときに開放する弁手段（図示せず）が設けられ、ケージ２が枠体から外された場合に、給気水平ダクト１７の開口及び排気水平ダクト１８の開口が閉塞するようになっている。
【００２６】
図１０に示されるように、給気水平ダクト１７及び排気水平ダクト１８の底面には、各ケージの収納部を区画する複数の隔壁３２が垂下して設けられている。各隔壁の下端には、ケージ２の容器１９に形成されたフランジ２０と係合する凸部３２ａが形成されている。
さらに、各隔壁３２の中央部には、軸３３が突出して設けられ、該軸３３には、揺動アーム３４が回転可能に取り付けられている。
【００２７】
図８、図９に示されるように、揺動アーム３２の一端には、前記突起３１と係合するローラー３５が回転可能に取り付けられており、他端３６は、揺動板３７と回動可能に連結されている。揺動板３７の回転軸に対して対称位置にはリング状の係合部３８が形成され、図１０に示されるように、該係合部３８には、前記フードカバー２５のくびれ部２８が嵌合する。
【００２８】
次に、本発明の小動物飼育装置の作用を述べる。
【００２９】
枠体３にケージ２を収納する場合、
1172558358890_0
この状態で、容器１９のフランジ２０を隔壁３２の凸部３２ａに係合させて、所定の収納部に挿入する。このとき、ケージ２は、フランジ２０において隔壁の凸部３２ａで支持され、容器底面が浮遊している状態なので、収納の際に摺動するのはフランジ２０と凸部３２ａのみとなり、摩擦が少なくスムーズにケージを収納することができるとともに、振動や騒音も少なくて済む。
【００３０】
ケージ２を枠体３の所定位置まで押し込んだときに、蓋２１に設けた突起３１の凹部に揺動アーム３４のローラー３５が乗り上げ、ローラー３５は、上方に移動する。
この移動により揺動アーム３４は、軸３３を中心に回転するので、他端３６に連結された揺動板３７が下方に押し下げられる。このため、揺動板の両端の係合部３８に嵌合するそれぞれのフードカバー２５のフード部２８に、下方方向に力が加わるので、各フードカバー２５の伸縮部２６が伸び、フード部２７がケージ３の蓋に設けられた空気取り入れ口２２及び空気排出口２３をそれぞれ覆うように密着し、外周をシールし、それぞれ給気水平ダクト１７及び排気水平ダクト１８と接続された状態になる。
【００３１】
送風機から給気風洞管４に送られた新鮮な空気は、各段の給気水平ダクト１７及びフードカバーを経て各ケージ２内に供給され、各ケージ２内の汚れた空気は、それぞれのケージ２に接続されたフードカバー及び排気水平ダクト１８を経て排気気風洞管５に集められ、排気される。
【００３２】
ケージ２を枠体３から取り外す場合は、そのままケージ２を手前に少し引き出せば、揺動アームアームのローラー３５が、ケージの蓋に設けられた突起３１から外れ、フードカバー２５の伸縮部２６を伸ばす方向に加わっていた力が解放されるので、伸縮部２６が元の形状まで縮み、フード部２７は、ケージ蓋空気取入口２２及び空気排出口２３から離間し、引き出すときも容器１９のフランジ２０と隔壁３２の凸部３２ａだけが摺動するで、ケージ２をスムーズに引き出すことができ、振動や騒音が少なくて済む。
【００３３】
蓋２１に設ける突起３１は、一個でも良いが、両側に一対設けたほうが、揺動板３７の動作を確実に行なわせることができ、図５に示されるように、両側一対ずつ対称位置に設ければ、蓋２１の取り付け方向を間違えることによるフードカバーの接続ミスを防ぐことができる。
【図面の簡単な説明】
【００３４】
【図１】本発明の小動物飼育装置の正面図である。
【図２】図１の側面図である。
【図３】ケージの収納状態を示す詳細図である。
【図４】ケージの側面図である。
【図５】ケージの蓋の斜視図である。
【図６】（ａ）ケージの蓋に設けられた空気取入口（空気排出口）の断面図である。        （ｂ）ケージの蓋に設けられた空気取入口（空気排出口）の平面図である。
【図７】の斜視図である。
【図８】本発明の駆動機構の斜視図である。
【図９】本発明の駆動機構の横断面図である。
【図１０】本発明の駆動機構の正面断面図である。
【図１１】フードカバーの断面図である。
【符号の説明】
【００３５】
１  小動物飼育装置
２  ケージ
３  枠体
４  給気風洞管
５  排気気風洞管
６，７  キャスター
８  給水配管
９  給水用開口
１０  えさ保持具
１１  給水ノズル
１７  給気水平ダクト
１８  排気水平ダクト
１９  容器
２０  フランジ
２１  蓋
２２  空気取入口
２３  空気排出口
２４  フィルター
２５  フードカバー
２６  伸縮部
２７  フード部
２８  くびれ部
２９  補強柱
３０  補強材
３１  突起
３２  隔壁
３３  回転軸
３４  揺動アーム
３５  ローラ
３６  他端
３７  揺動板
３８  保持部
【図１】
2008212098.tif 000003
【図２】
2008212098.tif 000004
【図３】
2008212098.tif 000005
【図４】
2008212098.tif 000006
【図５】
2008212098.tif 000007
【図６】
2008212098.tif 000008
【図７】
2008212098.tif 000009
【図８】
2008212098.tif 000010
【図９】
2008212098.tif 000011
【図１０】
2008212098.tif 000012
【図１１】
2008212098.tif 000013